(57)【要約】【課題】サーバから送られる画面表示データのデータ量を削減でき、通信費を節約できるとともに、画面を短時間で書換え可能な「画面表示システム及び画面表示方法」を提供する。【解決手段】サーバからは端末に送信される画面表示データは、特定の表示フォームを示すＩＤコード（パターンＩＤ）と、ＩＤコードにより特定される表示フォームに貼り付ける文字又は画像データとにより構成される。情報端末は、サーバから画面表示データを受信すると、画面表示データからＩＤコードを抽出し、ＩＤコードにより特定される表示フォームを呼び出して、表示フォームにより規定されるスタイルで文字又は画像データを貼り付けた表示画面を作成し、表示装置に表示する。【選択図】図４
2005141548.tif 000002
【特許請求の範囲】
【請求項１】
特定の表示フォームを示すＩＤコードと、前記ＩＤコードにより特定される表示フォームに貼り付ける文字又は画像データとにより構成される画面表示データを発信するサーバと、
前記サーバから前記画面表示データを受信し、前記ＩＤコードにより特定される表示フォームを呼び出して前記表示フォームにより規定されるスタイルで前記文字又は画像データを貼り付けた表示画面を作成し、表示装置に表示する情報端末と
により構成されることを特徴とする画面表示システム。
【請求項２】
前記画面表示データがマークアップ言語で記述されていることを特徴とする請求項１に記載の画面表示システム。
【請求項３】
前記情報端末には、ＩＤコードが相互に異なる複数の表示フォームが記憶されていることを特徴とする請求項１又は２に記載の画面表示システム。
【請求項４】
前記情報端末が、車両に搭載される機器であることを特徴とする請求項１乃至３のいずれか１項に記載の画面表示システム
【請求項５】
前記表示フォームは、少なくとも画面のレイアウトと、文字のフォント、色及びサイズとを規定するものであることを特徴とする請求項１乃至４のいずれか１項に記載の画面表示システム。
【請求項６】
予め複数の表示フォームをそれぞれ記憶部に記憶しておき、
サーバから送られてくる画面表示データから表示フォームのＩＤコードを抽出し、前記記憶部から前記ＩＤコードに対応する表示フォームを呼び出して、当該表示フォームにより規定されるスタイルに従って前記画面表示データ内の文字又は画像を貼り付けて表示画面を作成し表示装置に表示する
ことを特徴とする画面表示方法。
【発明の詳細な説明】
【技術分野】
【０００１】
本発明は、サーバから情報端末に送られた画面表示データに基づいて表示画像を作成する画面表示システム及び画面表示方法に関し、特に専用サーバから車載機器に送信される画面表示データの表示に好適な画面表示システム及び画面表示方法に関する。
【背景技術】
【０００２】
インターネットを利用した情報端末では、一般的にブラウザと呼ばれるソフトウエアを使用して画面に文字や画像等を表示している。ブラウザは、ＨＴＭＬ（HyperText Markup Language ）及びＸＭＬ（eXtensible Markup Language）等のマークアップ言語で記述された画面表示データを表示装置の画面に表示するソフトウエアである。
【０００３】
ＨＴＭＬ及びＸＭＬ等のマークアップ言語では、タグと呼ばれる属性情報により画面のレイアウト並びに文字のフォント（書体）、色及びサイズ等を指定し、所望の画面が表示されるようにする。また、ＨＴＭＬ及びＸＭＬ等のマークアップ言語では、文字又は画像にリンク先のアドレスを埋め込んで、他の画面表示データとリンクさせることが可能である。例えば、リンク先が埋め込まれた文字列又は画像をポインタ（カーソル）で選択してクリックすると、情報端末は文字列又は画像に埋め込まれたリンク先にアクセスして画面表示データを取得し、画面が書き換えられる。
【０００４】
ところで、近年、ナビゲーション装置等の車載機器に通信装置を接続して情報端末とし、車両外部の情報センタに設置された専用サーバとの間で通信を行って交通情報やドライブ情報などを提供するサービスが実施されている。この種のサービスにおいても、専用サーバから車載機器に送信される画面表示データはＨＴＭＬ及びＸＭＬ等のマークアップ言語で記述されることが多い。
【特許文献１】特開２００２−８３１４８号公報
【発明の開示】
【発明が解決しようとする課題】
【０００５】
しかしながら、従来の画面表示方法では、ＨＴＭＬ等で記述された画面表示データ中に属性情報（タグ）を記述して画面のレイアウト並びに文字のフォント、色及びサイズ等を指定する必要がある。このため、従来の画面表示方法では、画面に表示される内容の割にはデータ量が多くなる。一般的に車載機器では携帯電話等を介してサーバと通信接続されるため、データ量の増加は通信費の増大や画面の書換え時間の増加に直接影響する。特に、車載機器において、情報センタのサーバから画面表示データを取得して階層化されたサービスメニュー画面を表示するような場合には、サーバから階層毎に何度も画面表示データを送信する必要があるため、データの総量が多くなり、サービスメニュー画面の表示に要する通信費を無視することができなくなる。
【０００６】
なお、特開２００２−８３１４８号公報には、予めユーザ毎に指定されたページ数や文字サイズ等の情報をサーバに登録しておき、登録内容に応じて配信データ（デジタルコンテンツ）を作成して配信するシステムが記載されている。しかし、サーバからユーザ機器に画面表示データを配信するときには、画面表示データ中にフォントの種類、色及びサイズ等の属性情報を付加しておくことが必要であり、上述した問題点を解決するものではない。
【０００７】
以上から、本発明の目的は、サーバから送られる画面表示データのデータ量を削減でき、通信費を節約できるとともに、画面を短時間で書換え可能な画面表示システム及び画面表示方法を提供することである。
【課題を解決するための手段】
【０００８】
上記した課題は、特定の表示フォームを示すＩＤ（Identification）コードと、前記ＩＤコードにより特定される表示フォームに貼り付ける文字又は画像データとにより構成される画面表示データを発信するサーバと、前記サーバから前記画面表示データを受信し、前記ＩＤコードにより特定される表示フォームを呼び出して前記表示フォームにより規定されるスタイルで前記文字又は画像データを貼り付けた表示画面を作成し、表示装置に表示する情報端末とにより構成されることを特徴とする画面表示システムにより解決する。
【０００９】
前記画面表示データとして、例えばマークアップ言語で記述されたデータを使用することができる。また、前記情報端末には、ＩＤコードが相互に異なる複数の表示フォームが記憶されていることが好ましい。前記情報端末は、例えば車両に搭載される機器であってもよい。前記表示フォームは、少なくとも画面のレイアウトと、文字のフォント、色及びサイズとを規定するものであることが好ましい。
【００１０】
上記した課題は、予め複数の表示フォームをそれぞれ記憶部に記憶しておき、サーバから送られてくる画面表示データから表示フォームのＩＤコードを抽出し、前記記憶部から前記ＩＤコードに対応する表示フォームを呼び出して、当該表示フォームにより規定されるスタイルに従って前記画面表示データ内の文字又は画像を貼り付けて表示画面を作成し表示装置に表示することを特徴とする画面表示方法により解決する。
【００１１】
本発明においては、画面のスタイルを規定する複数の表示フォームを用意しておき、各表示フォームにそれぞれ固有のＩＤコードを付与しておく。そして、情報端末には、ＩＤコードと、ＩＤコードにより特定される表示フォームに貼り付ける文字又は画像データとにより構成される画面表示データを送信する。
【００１２】
情報端末は、サーバから送られてきた画面表示データからＩＤコードを抽出し、当該ＩＤコードにより特定される表示フォームを呼び出して、表示フォームにより規定されるスタイルに従って文字又は画像を貼り付けて表示画面を作成する。従って、画面表示データ内にレイアウトや文字のフォント（書体）、色及びサイズ等の情報を記述する必要がなく、従来に比べてデータ量を削減することができる。これにより、通信費が節約される。また、データ量が少なく短時間で画面表示データを取得できるので、表示画面を短時間で書き換えることができる。
【発明を実施するための最良の形態】
【００１３】
以下、本発明の実施形態について、添付の図面を参照して説明する。
【００１４】
図１は、本発明の実施形態に係る画面表示システムを示す模式図である。本実施形態の画面表示システムは、車両１に搭載されたナビゲーション装置（情報端末）２と、ナビゲーション装置２を介してユーザに種々のサービスを提供するサーバ５を備えた情報センタ６とにより構成される。情報センタ６からナビゲーション装置２には、特定の表示フォームを示すＩＤコードと、ＩＤコードにより特定される表示フォームに貼り付ける文字又は画像データとにより構成される画面表示データが送信される。ナビゲーション装置２は情報センタ６から画面表示データを受信すると、画面表示データからＩＤコードを抽出し、ＩＤコードにより特製される表示フォームを呼び出して、表示フォームにより規定されるスタイルで文字又は画像データを貼り付けて表示画面を作成し、表示装置に表示する。
【００１５】
図２は、車載用ナビゲーション装置２の構成を示すブロック図である。この車載用ナビゲーション装置２は、制御部１０、地図データ記憶部１１、通信装置１２、操作部１３、ＧＰＳ（Global Positioning System ）受信機１４、自立航法センサ１５、表示装置１６及び表示フォーム記憶部１７により構成されている。
【００１６】
地図データ記憶部１１はハードディスク又はＤＶＤ（Digital Versatile Disk）により構成されている。この地図データ記憶部１１には、所定の緯度幅及び経度幅で区切られた領域毎の地図データが記憶されている。
【００１７】
通信装置１２は制御部１０と接続され、情報センタ６との間でデータの送受信を行う。本実施形態では、通信装置１２として携帯電話を使用している。
【００１８】
操作部１３には、当該ナビゲーション装置２を操作するための種々の操作キーが設けられている。本実施形態においては、操作部１３に、図３に示すようなリモコン送信機３０が含まれている。このリモコン送信機３０には、表示装置１６に表示されるポインタ（カーソル）を移動させるためのジョイスティック３１と、「決定」キー３２、「メニュー」キー３３、「戻る」キー３４及び「０」から「９」までの数字キー３５などが設けられている。
【００１９】
ＧＰＳ受信機１４は、ＧＰＳ衛星から送られてくるＧＰＳ信号を受信して車両の現在位置の緯度及び経度を取得する。自立航法センサ１５は、車両回転角度を検出するジャイロ等の角度センサと、一定の走行距離毎にパルスを発生する走行距離センサとにより構成されている。
【００２０】
表示装置１６は、液晶パネル又は有機ＥＬ（ElectroLuminescent）パネルにより構成されている。この表示装置１６には、制御部１０から出力される表示信号に基づいて、通信装置１２を介して受信した情報や、車両の現在位置の周囲の地図画像や、その他種々の情報が表示される。
【００２１】
表示フォーム記憶部１７には予め設定された多数の表示フォームが記憶されている。表示フォームの詳細については後述する。
【００２２】
制御部１０はマイクロコンピュータにより構成されており、記憶されているプログラムに従って種々の処理を実行する。例えば、制御部１０は、ＧＰＳ受信機１４及び自立航法センサ１５から入力した信号に基づいて車両の現在位置を検出する。また、制御部１０は、地図データ記憶部１１から車両の現在位置の周囲の地図データを読み出して表示装置１６に表示するとともに、車両の現在位置を示すマーク（車両位置マーク）を地図上に重ね合わせて表示する。更に、ユーザが操作部３を操作して目的地を設定すると、制御部１０は地図データ記憶部１１から地図データを読み出し、車両の現在位置（出発地）から目的地までの最適な経路（推奨経路）を探索する。その後、制御部１０は、車両が推奨経路に沿って走行するように、車両の移動に伴って適宜案内情報を表示装置１６に表示する。
【００２３】
以下、表示フォーム記憶部１７に記憶されている表示フォームについて説明する。前述したように、表示フォーム記憶部１７には多数の表示フォームが記憶されており、各表示フォームにはそれぞれ固有のＩＤコード（パターンＩＤ）が付与されている。
【００２４】
図４（ａ）はパターンＩＤ＝“Ｆ１”の表示フォームを示す模式図、図４（ｂ）は同じくそのパターンＩＤ＝“Ｆ１”の表示フォームを使用したサービスメニュー画面の表示例を示す図である。
【００２５】
図４（ａ）に示すパターンＩＤ＝“Ｆ１”の表示フォームでは、画面の上部にタイトル名を表示するタイトル表示部４０が設けられており、タイトル表示部４０の下には枠表示部４１が設けられている。そして、枠表示部４１内の左側にはリンク先アドレスが埋め込まれた文字・画像を表示するアンカー部４２が、画面表示データにより指定される数だけ縦方向に並ぶ。また、枠表示部４１内の右側には画像を表示するための画像表示部４３が設けられている。
【００２６】
表示フォームには、上述したようにレイアウトに関する情報のほかにも、タイトル表示部４０及びアンカー部４２に表示する文字のフォント、色及びサイズや、画像表示部４３に表示する画像のサイズ等が規定されている。
【００２７】
制御部１０は、画面表示データ内の文字列又は画像をこの表示フォームに貼り付けて、図４（ｂ）に示すようなサービスメニュー画面を作成し、表示装置１６に表示する。
【００２８】
図４（ｂ）に示す画面で、例えばユーザが所望の項目（アンカー部４２に表示されている文字・画像）をリモコン送信機３０の数字キー３５により選択すると、制御部１０は通信装置１２を介してアンカー部４２に埋め込まれたリンク先にアクセスし、画面表示データを取得して画面の書換えを行う。
【００２９】
図５（ａ）はパターンＩＤ＝“Ｆ２”の表示フォームを示す模式図、図５（ｂ）は同じくそのパターンＩＤ＝“Ｆ２”の表示フォームを使用したサービスメニュー画面の表示例を示す図である。
【００３０】
図５（ａ）に示すパターンＩＤ＝“Ｆ２”の表示フォームでは、画面の上部にタイトル名を表示するタイトル表示部５０が設けられている。そして、タイトル表示部５０の下には、テキストを表示する表示枠５１が設けられている。更に、テキスト表示枠５１の下には、リンク先アドレスが埋め込まれた文字・画像を表示するアンカー部５２が、表示データにより指定される数だけ縦方向に並ぶ。また、各アンカー部５２の右側にはテキストを表示可能なテキスト表示部５３が設けられている。このパターンＩＤ＝“Ｆ２”の表示フォームにおいても、上述したレイアウトに関する情報の他に、タイトル表示部５０、テキスト表示枠５１、アンカー部５２及びテキスト表示部５３に表示する文字のフォント、色及びサイズ等が規定されている。
【００３１】
制御部１０は、画面表示データ内の文字列又は画像をこの表示フォームに貼り付けて、図５（ｂ）に示すようなサービスメニュー画面を作成し、表示装置１６に表示する。
【００３２】
図５（ｂ）に示す画面で、例えばユーザが所望の項目をリモコン送信機３０の数字キー３５により選択すると、制御部１０はアンカー部５２に埋め込まれたリンク先にアクセスして画面表示データを取得し、画面が書き換えられる。
【００３３】
図６，図７は、図４（ｂ）に示す画面を表示するＨＴＭＬで記述した従来例の画面表示データ（ソースファイル）を示す図である。また、図８は、図４（ｂ）に示す画面を表示する画面表示データをＸＭＬを使用して記述した実施例のソースファイルを示す図である。
【００３４】
図８において、＜パターンＩＤ＝“Ｆ１”＞により、パターンＩＤ＝“Ｆ１”の表示フォームを使用することを宣言している。また、＜タイトル＞，＜／タイトル＞に挟まれた文字列を、図４（ａ）の表示フォームのタイトル表示部４０に表示する。この場合、前述したように、フォントの種類、色及びサイズ等は表示フォームに予め規定されている。
【００３５】
例えば、１番上のアンカー部４２には、アンカーＩＤ＝“１”により指定された画像と、＜キャプション＞，＜／キャプション＞に挟まれた文字列を表示する。この場合も、フォントの種類、色及びサイズ等は表示フォームに予め規定されている。また、アンカー部４２に表示される文字列には、「参照先＝」の後に記載されたリンク先アドレス（すなわち、“/mycabin/mews#men.php ”）が埋め込まれる。他のアンカー部４２にも、これと同様にリンク先が埋め込まれた文字・画像が表示される。この例では、縦方向に並んだ８つのアンカー部４２にそれぞれ文字・画像が表示される。
【００３６】
表示枠４１内に表示する画像は画像ＩＤ＝“１”により指定される位置に配置され、画像データは「参照先＝」で指定されるアドレスから呼び出される。
【００３７】
図６，図７と図８とを比較すればわかるように、実施例のソースファイルでは、従来のＨＴＭＬによるソースファイルに比べてデータ量が１／３以下に減少している。これにより、サーバ５から送られる画面表示データのデータ量を削減でき、通信費を節約できることがわかる。また、データ量が少なく短時間で画面表示データを取得できるので、表示画面を短時間で書き換えることができる。
【００３８】
図９は、本実施形態の画面表示方法のフローチャートを示す図である。
【００３９】
まず、ステップＳ１１において、ユーザによりブラウザが起動されると、ステップＳ１２に移行する。ステップＳ１２において、制御部１０は通信装置１２を介して情報センタ６のサーバ５にアクセスし、画面表示データの送信を要求する。
【００４０】
その後、ステップＳ１３に移行して画面表示データ（例えば、図８に示すソースファイル）を受信すると、ステップＳ１４に移行して、制御部１０は受信した画面表示データ内からパターンＩＤ（ＩＤコード）を抽出する。
【００４１】
次に、ステップＳ１５に移行して、制御部１０は表示フォーム記憶部１７から該当するパターンＩＤの表示フォームを呼び出す。
【００４２】
次に、ステップＳ１６に移行し、制御部１０は、通信装置１２で受信した画面表示データにより指定される文字列及び画像を表示フォーム記憶部１７から読み出した表示フォームに貼り付けて、例えば図１０に示すような画像を作成し、表示装置１６に出力する。
【００４３】
次に、ステップＳ１７に移行し、ユーザがリモコン送信機３０の数字キー３５により所望の項目を選択すると、ステップＳ１２に戻ってサーバ５にアクセスし、選択された項目に埋め込まれたリンク先のアドレスに格納されている画面表示データの送信を要求する。その後、ステップＳ１３に移行してサーバ５から画面表示データを受信する。
【００４４】
このようにして、ユーザの選択した項目に応じた画面表示データがサーバ５からナビゲーション装置２に送られ、表示装置１６に表示される画面が順次書き換えられる。
【００４５】
一方、ステップＳ１６でアンカー部４２を選択せず、ステップＳ１８に移行してブラウザを終了したときは、サービスメニューの表示処理を終了する。
【００４６】
このように、本実施形態においては、情報センタ６のサーバ５から画面表示データを受信してサービスメニューを表示装置の画面に表示し、ユーザの選択に応じてサービスメニュー画面を順次書き換えて表示するので、情報センタ６で提供するサービスが変更されても、新しいサービスに応じたメニューが画面に表示される。
【図面の簡単な説明】
【００４７】
【図１】図１は、本発明の実施形態に係る画面表示システムを示す模式図である。
【図２】図２は、車載用ナビゲーション装置の構成を示すブロック図である。
【図３】図３は、リモコン送信機を示す平面図である。
【図４】図４（ａ）はパターンＩＤ＝“Ｆ１”の表示フォームを示す模式図、図４（ｂ）は同じくそのパターンＩＤ＝“Ｆ１”の表示フォームを使用したサービスメニュー画面の表示例を示す図である。
【図５】図５（ａ）はパターンＩＤ＝“Ｆ２”の表示フォームを示す模式図、図５（ｂ）は同じくそのパターンＩＤ＝“Ｆ２”の表示フォームを使用したサービスメニュー画面の表示例を示す図である。
【図６】図６は、図４（ｂ）に示す画面を表示するＨＴＭＬで記述した従来例の画面表示データ（ソースファイル）を示す図（その１）である。
【図７】図７は、図４（ｂ）に示す画面を表示するＨＴＭＬで記述した従来例の画面表示データ（ソースファイル）を示す図（その２）である。
【図８】図８は、図４（ｂ）に示す画面を表示する画面表示データをＸＭＬを使用して記述した実施例のソースファイルを示す図である。
【図９】図９は、本実施形態の画面表示方法のフローチャートを示す図である。
【図１０】図１０は、表示装置に表示される画面サービスメニュー画面の例を示す図である。
【符号の説明】
【００４８】
１…車両、
２…車載用ナビゲーション装置、
５…サーバ、
６…情報センタ、
１０…制御部、
１１…地図データ記憶部、
１２…通信装置、
１３…操作部、
１４…ＧＰＳ受信機、
１５…自立航法センサ、
１６…表示装置、
１７…表示フォーム記憶部、
３０…リモコン送信機、
３１…ジョイスティック。
【図１】
2005141548.tif 000003
【図２】
2005141548.tif 000004
【図３】
2005141548.tif 000005
【図４】
2005141548.tif 000006
【図５】
2005141548.tif 000007
【図６】
2005141548.tif 000008
【図７】
2005141548.tif 000009
【図８】
2005141548.tif 000010
【図９】
2005141548.tif 000011
【図１０】
2005141548.tif 000012